(57)【特許請求の範囲】
【請求項１】
２枚の基板の間に設けられた多数の小室内に粘性流体とともに磁性粉を封じ込め、一方の基板に形成された表示面の表面を磁石ペンでなぞることにより磁性粉を吸引して文字等を表示面に表示し、基板の上下若しくは左右方向に移動可能な消去部材により消去する磁気泳動表示玩具において、玩具本体には、玩具本体を水没させた際に上記基板の裏側の空間部内に水を流入させる水流入孔が設けられていることを特徴とする磁気泳動表示玩具。
【請求項２】
以下の要件を備えることを特徴とする、請求項１記載の磁気泳動表示玩具。
（イ）前記玩具本体には、表示面の一辺に対し回動自在に軸支され、表示面を覆うように構成された防護カバーが設けられていること
（ロ）上記防護カバーは、回動時に折畳み状態に保持できるように構成され、折畳み時に表面に露出する面は、鉛筆で筆記可能な面として構成されていること
【請求項３】
前記磁石ペンのペン本体には、一方に磁石部、他端に鉛筆部を有する筆記部材が、磁石部又は鉛筆部を選択可能に保持されていることを特徴とする請求項２記載の磁気泳動表示玩具。
【請求項４】
前記磁石ペンは、前記玩具本体に対し紐体を介して連結されるとともに、玩具本体に形成されたペン収納部に収納可能で、ペン収納部はその底面中間部に切欠部を有することを特徴とする、請求項１、２又は３記載の磁気泳動表示玩具。
【請求項５】
以下の要件を備えることを特徴とする請求項３又は４記載の磁気泳動表示玩具。
（イ）前記磁石片には操作摘みが、前記防護カバーの下辺に沿ってスライド自在に設けられていること
（ロ）上記防護カバーの下辺には、上記操作摘みに係脱可能な係合部を有すること
【発明の詳細な説明】
【０００１】
【発明の属する技術分野】
本発明は複数の人間が水中でコミュニケーションできる磁気泳動表示玩具に関する。
【０００２】
【従来の技術】
一般に、複数のダイバーが水中に潜ったときは、口にマウスピースを嵌めているので、互いの意思を伝達することはできず、手や足で表現するしかなかった。そのため、水中で意思の疎通を欠き、事故につながる可能性も考えられる。
【０００３】
これに対し、従来から子どもを中心に磁気泳動表示玩具が使用されてきた。これは粘性流体と共に磁性粒子を封じ込めた描画板の表面を磁石ペンでなぞることにより、磁性粒子を磁石ペンの磁力で表示面まで浮上させて描画し、消去部材の磁力で浮上させた磁性粒子を元の位置に沈降させるもので、何度でも繰り返し使用できるものである。
【０００４】
このような磁気泳動表示玩具は主に低年齢の子どもの知育玩具として支持されているが、その他の用途の開発も求められていた。
【０００５】
【発明が解決しようとする課題】
本発明は上記問題点を解消し、主に水中での意思伝達手段として使用することに適合した磁気泳動表示玩具を提供することをその課題とする。
【０００６】
【課題を解決するための手段】
前記課題を解決するため、本発明に係る磁気泳動表示玩具は、２枚の基板の間に設けられた多数の小室内に粘性流体とともに磁性粉を封じ込め、一方の基板に形成された表示面の表面を磁石ペンでなぞることにより磁性粉を吸引して文字等を表示面に表示し、基板の上下若しくは左右方向に移動可能な消去部材により消去する磁気泳動表示玩具において、玩具本体には、玩具本体を水没させた際に上記基板の裏側の空間部内に水を流入させる水流入孔が設けられていることを特徴とする。
【０００７】
なお、上記磁気泳動表示玩具は以下の要件を備えるようにしてもよい。
（イ）前記玩具本体には、表示面の一辺に対し回動自在に軸支され、表示面を覆うように構成された防護カバーが設けられていること
（ロ）上記防護カバーは、回動時に折畳み状態に保持できるように構成され、折畳み時に表面に露出する面は、鉛筆で筆記可能な面として構成されていること
【０００８】
また、前記磁石ペンのペン本体には、一方に磁石部、他端に鉛筆部を有する筆記部材が、磁石部又は鉛筆部を選択可能に保持するのが好ましい。
【０００９】
さらに、前記磁石ペンは、前記玩具本体に対し紐体を介して連結されるとともに、玩具本体に形成されたペン収納部に収納可能で、ペン収納部はその底面中間部に切欠き部を形成するのがよい。
【００１０】
さらに、上記磁気泳動表示玩具は、以下の要件を備えるようにしてもよい。
（イ）前記磁石片には操作摘みが、前記防護カバーの下辺に沿ってスライド自在に設けられていること
（ロ）上記防護カバーの下辺には、上記操作摘みに係脱可能な係合部を有すること
【００１１】
【発明の実施の形態】
図１は磁気泳動表示玩具の表示面を隠した状態の平面図、図２は表示面を露出した状態の平面図、図３はその分解斜視図を示すもので、この磁気泳動表示玩具は合成樹脂製の玩具本体１と磁石ペン２とから構成されている。
【００１２】
玩具本体１は、２枚の基板ａ、ｂ間に多数の小室ｃを形成し、各室ｃ内に粘性流体とともに磁性粒子ｄを封じ込めてなるハニカムボードＡ（図４参照）を、表側枠体３と裏側枠体４との間に挟持するとともに、裏側枠体４の下から下蓋部材４ａを固定することによって構成され、一方の基板ａによって構成された表示面を磁石ペン２でなぞることにより、磁性粒子ｄを磁石ペン２の磁力で表示面まで浮上させて描画し、消去部材５を左右に移動させて消去部材５の磁力で浮上させた磁性粒子を元の裏側の位置に沈降させるもので、公知の磁気画板と同じ構造を有するものを利用すればよい。
【００１３】
玩具本体１の一側にはＣ字形の持ち手６が形成されている。持ち手６の断面はＵ字形に形成され、その内側にはスパイラルコード８（他の紐体でもよい）の収納部６ａが形成されている。また、持ち手６の近傍には磁石ペン２の収納部９が形成されている。磁石ペン２には上記スパイラルコード８が連結されている。このように、スパイラルコード８は持ち手６に収納されるので、邪魔にならない。
【００１４】
また、磁石ペン２は玩具本体１に形成されたペン収納部９に収納可能で、磁石ペン２はきつ目にペン収納部９に収納保持される。ペン収納部９はその底面中間部に切欠き部１０を有する。
【００１５】
前記磁石ペン２は、ペン本体２ａと筆記部材１１とから構成されている。また、玩具本体１の一側にはペン収納部９が形成されている。
【００１６】
磁石ペン２はペン本体２ａと筆記部材１１とから構成されている。ペン本体２ａは図５に示されるように伸縮自在に形成されるとともに、その一側には図６に示すように切欠き部１２が形成され、筆記部材１１の中間部はペン本体２ａの切欠き部１２の両側部に軸１３を介して回動可能に軸支されている。なお、切欠き部１２の内側面には凸部１４が形成され、筆記部材１１の該側面に強く当たるようになっている。筆記部材１１の一方には磁石部１５、他端には鉛筆部１６が形成されている。また、ペン本体２ａの切欠き部１２と反対側の端部にも、上記磁石部１５よりも軸太の磁石部１７が形成されている。
【００１７】
玩具本体１には、表示面の上辺に対し支軸１８を介して回動自在に軸支され、表示面を覆うように構成された防護カバー１９が設けられている。この防護カバー１９は、図７(ａ)(ｂ)(ｃ)に示されるように、２枚のカバー材１９ａ、１９ｂを軸２８を介して回動により２つ折りに折畳み可能に形成され、折畳み時に表面に露出する面２０は、鉛筆で筆記可能な粗面に形成されている。なお、折り畳み時に裏側になる面は透明である。また、両面ともに裏面側には蛇行した補強リブ２１が形成されている。
【００１８】
上記消去部材５は磁石片５ａ（図３参照）と操作摘み５ｂとから成り、磁石片５ａの一端には操作摘み５ｂが形成されている。操作摘み５ｂは防護カバー１９の下辺に沿ってスライド可能になっている。
【００１９】
なお、上記防護カバー１９の下辺の一端部には、上記操作摘み５ｂの図の上側に形成された断面Ｌ字形の係合溝２２に係脱可能な係合部２３が形成されている。
【００２０】
防護カバー１９の下辺側の中央部には突片２４が形成され、表側枠体３の下辺の中央部には、上記突片２４に係脱可能な係合凹部２５が形成されている。突片２４は防護カバー１９のカバー面よりも一段低くなるように形成されている。
【００２１】
また、図８(ａ)(ｂ)に示されるように、表側枠体３の上辺の中央部には、折畳み時に上記防護カバー１９の下辺側の突片２４が係合可能な係合片２６が形成されている。
【００２２】
ところで、上記玩具本体１において、表側枠体３と裏側枠体４とを突き合わせて組み立てたとき、その内部に図７(ａ)に示されるような空間部Ｓが形成される。玩具本体１にはこの空間部Ｓと外部とを連通させる水流入孔２７が形成されている。
【００２３】
次に、上記磁気泳動表示玩具の使用態様について説明すると、磁気泳動表示玩具は通常は防護カバー１９を展開状態にし、その下辺中央部の突片２４が玩具本体１の係合凹部２５に係合している。操作摘み５ｂは一側に寄せられ、その係合溝には上記防護カバー１９の一端の係合部２３が係合している。このため、操作摘み５ｂをスライドさせて上記係合部２３の係合を解除しない限り、防護カバー１９は折り畳むことができない。このため、２枚の基板ａ、ｂは安全に保護される。
【００２４】
磁気泳動表示玩具を水中で使用するときは、これを身体の適宜部位に付けて水中に潜る。潜水中に誰かとコミュニケーションを取る必要が生じたときは、まず磁気泳動表示玩具の持ち手６を持って取り出し、操作摘み５ｂをスライドさせて上記係合部２３の係合を解除して防護カバー１９を折り畳む。そして、図８(ａ)(ｂ)のように、表側枠体３の上辺の中央部に形成された係合片２６に、防護カバー１９の下辺側の突片２４を係合させる。これによって、防護カバー１９は折畳み状態に保持される。
【００２５】
次に、指の先をペン収納部９の切欠き部１０の裏側から表側に動かしてペン収納部９内に収納保持された磁石ペン２を押し出せば簡単に取り外すことができる。そして、筆記部材１１を回転させてその一側の細字用の磁石部１５によるか、あるいはペン本体２ａの反対側の太字用の磁石部１７によるかを選択して表示面に絵や文字を書き込めばよい。書いたものは適宜消去部材５を左右にスライドさせて消去すればよい。
【００２６】
なお、消去したくない事項を書き記すときは、磁石ペン２の筆記部材１１の鉛筆部１６を折り畳まれた防護カバー１９の表側に現われた粗面２０に押しつけて書きこめばよい。書きこんだものは消しゴムで消すことができる。
【００２７】
使用後は、消去部材５を一側に寄せ、係合片２６と突片２４との係合を外して防護カバー１９を再び展開してその下辺中央部の突片２４が玩具本体１の凹状係合部２３に係合するとともに、防護カバー１９の係合部２３を上記操作摘み５ｂに係合させればよい。
【００２８】
ところで、表側枠体３と裏側枠体４とを突き合わせたとき、図９のように表裏側の枠体３、４間や裏側枠体４とハニカムボードＡとの間に空気が溜まる空間部Ｓが形成される。そのため、水没させたときにハニカムボードＡが水圧によって押し潰されて変形してしまうとか、浮力が働いて全体が浮き上がろうとするので筆記しにくいという問題がある。しかし、表側枠体３と裏側枠体４には上記空間部Ｓと外部とを連通させる水流入孔２７が形成されている。したがって、水没時には水が水流入孔２７から空間部内に入り込み、ハニカムボードＡの表裏に対する圧力がバランスするので、水圧によってハニカムボードＡが変形することがなく、また浮力も問題にならないので、筆記しやすい。
【００２９】
このようにして、水中でマウスピースをしたままでも細かいコミュニケーションができるので、水中での行動をより確実で安全なものにすることができる。
【００３０】
上記磁気泳動表示玩具は陸上でも使えることはもちろんである。
【００３１】
【発明の効果】
請求項１に係る発明によれば、水中で使用するときは、玩具本体にはこの空洞と外気とを連通させる水流入孔が形成されている。したがって、水没時には水が水流入孔から空間部内に入り込み、基板の表裏に対する圧力がバランスするので、水圧によって基板が変形することがなく、また浮力も問題にならないので、筆記しやすい。これによって良好なコミュニケーションを図ることができる。意思の伝達は文字を通じて行なわれるので、間違いが少ない。
【００３２】
請求項２に係る発明によれば、防護カバーは、回動時に折畳んで保持できるように構成され、消去したくない事項を書き記すときは、防護カバーに鉛筆で筆記できるから便利である。
【００３３】
請求項３に係る発明によれば、磁石でも鉛筆でも筆記できるので、便利である。
【００３４】
請求項４に係る発明によれば、切欠き部の裏側から指を入れて磁石ペンをペン収納部から押し出すことができるので、手袋をしていても、簡単に磁石ペンを取り出すことができる。
【００３５】
請求項５に係る発明によれば、防護カバーを展開状態にしてその係合部を消去部材５の操作摘みに係合させることにより、操作摘みをスライドさせて係合を解除しない限り、防護カバーは折り畳むことができなくなるので、基板は安全に保持される。
【図面の簡単な説明】
【図１】本発明に係る磁気泳動表示玩具を防護カバーで閉じた状態の平面図
【図２】上記防護カバーを折り畳んだ状態の平面図
【図３】上記磁気泳動表示玩具の分解斜視図
【図４】基板の要部の断面図
【図５】磁石ペンを伸長させた状態の斜視図
【図６】磁石ペンの要部断面図
【図７】  (ａ)(ｂ)(ｃ)はそれぞれ防護カバーの展開状態から折り畳み状態にする態様を示す説明図
【図８】  (ａ)(ｂ)は防護カバーの中央部文の断面図
【図９】玩具本体の一部の拡大断面図
【符号の説明】
Ｓ  空間部
１  玩具本体
２  磁石ペン
１９  防護カバー
２７  水流入孔
【図１】
0003672894.tif 000002
【図２】
0003672894.tif 000003
【図３】
0003672894.tif 000004
【図４】
0003672894.tif 000005
【図５】
0003672894.tif 000006
【図６】
0003672894.tif 000007
【図７】
0003672894.tif 000008
【図８】
0003672894.tif 000009
【図９】
0003672894.tif 000010